(57)【要約】【課題】  低コストで気柱振動を低減し得る、振動搬送装置及び振動篩装置を提供する。【解決手段】  振動篩装置１は、供給口２及び排出口３が形成されるとともに内部に篩面９が配設されたケーシング５と、ケーシング５を振動させる振動発生装置６と、ケーシング５に設けられた通気口と、該通気口をカバーする通気性フィルター部材と、を備え、前記ケーシングの振動により前記通気性フィルター部材内側の付着物が前記通気口からケーシング内に落下し得るように構成されている。【選択図】  図１
2015066500.tif 000002
【特許請求の範囲】
【請求項１】
供給口及び排出口が形成されるとともに内部に篩面が配設されたケーシングと、該ケーシングを振動させる振動発生装置と、前記ケーシングに設けられた通気口と、該通気口をカバーする通気性フィルター部材と、を備え、前記ケーシングの振動により前記通気性フィルター部材内側の付着物が前記通気口からケーシング内に落下し得るように構成されていることを特徴とする振動篩装置。
【請求項２】
供給口及び排出口が形成されたケーシングと、該ケーシングを振動させる振動発生装置と、前記ケーシングに設けられた通気口と、該通気口をカバーする通気性フィルター部材と、を備え、前記ケーシングの振動により前記通気性フィルター部材内側の付着物が前記通気口からケーシング内に落下し得るように構成されていることを特徴とする振動搬送装置。
【請求項３】
前記通気性フィルター部材が、ろ布であることを特徴とする請求項１に記載の振動篩装置。
【請求項４】
前記通気性フィルター部材が、ろ布であることを特徴とする請求項２に記載の振動搬送装置。
【発明の詳細な説明】
【技術分野】
【０００１】
本発明は、灰溶融炉を併設するごみ焼却プラント等において、焼却残渣等を振動により搬送する振動搬送装置及び振動により篩分けしつつ搬送する振動篩装置に関する。
【背景技術】
【０００２】
従来、種々の振動篩装置や振動搬送装置が知られており（例えば特許文献１〜５等）、灰溶融炉を併設するごみ焼却プラント等では、灰溶融炉に投入される焼却残渣（焼却灰、ばいじん）を振動篩装置にかけて溶融不適物を除去するのが一般的である。
【０００３】
図４に示すように、灰搬送設備（振動搬送装置（不図示）、ベルトコンベア２３等）や振動篩装置１００は、溶融固化処理すべき灰が装置外部に噴出しないように略密閉されたケーシングを有していることから、振動篩装置１００や図示しない振動搬送装置（振動コンベア）の振動がケーシング５内部の気体（主に空気）を媒体として伝播し、灰ピット２４内に開口する出口等で建築躯体のガラス窓２５やシャッター等を振動（気柱振動）させ、騒音や破損といった問題を引き起こす場合がある。
【０００４】
そのため、振動コンベア等のケーシングの上下面及び前後端面を円弧状として、ケーシングの振動により生じる空気の脈動を低減させて気柱振動を低減させる、振動発生装置の気柱振動抑制構造が提案されている（特許文献６）。
【先行技術文献】
【特許文献】
【０００５】
【特許文献１】特開平８−１４５２１号公報
【特許文献２】特開平１０−１９２８１５号公報
【特許文献３】特開２００６−１４２１３６号公報
【特許文献４】特開２００８−１４２６２８号公報
【特許文献５】特開２００３−１９２１１７号公報（振動搬送装置）
【特許文献６】特許第５０７４７８３号明細書
【発明の概要】
【発明が解決しようとする課題】
【０００６】
上記従来の振動発生装置の気柱振動抑制構造は、ケーシングの上下面及び前後端面を円弧状とすることにより気柱振動を効果的に低減させることができるが、円弧状に加工するためのコストがかかる。
【０００７】
また、円弧状に加工されたケーシングにおいても、更にコストをあまりかけずに更なる気柱振動の低減を図ることも望まれる。
【０００８】
そこで、低コストで気柱振動を低減し得る、振動搬送装置及び振動篩装置を提供することを主たる目的とする。
【課題を解決するための手段】
【０００９】
上記目的を達成するため、本発明に係る振動篩装置は、供給口及び排出口が形成されるとともに内部に篩面が配設されたケーシングと、該ケーシングを振動させる振動発生装置と、前記ケーシングに設けられた通気口と、該通気口をカバーする通気性フィルター部材と、を備え、前記ケーシングの振動により前記通気性フィルター部材内側の付着物が前記通気口からケーシング内に落下し得るように構成されていることを特徴とする。
【００１０】
また、本発明に係る振動搬送装置は、供給口及び排出口が形成されたケーシングと、該ケーシングを振動させる振動発生装置と、前記ケーシングに設けられた通気口と、該通気口をカバーする通気性フィルター部材と、を備え、前記ケーシングの振動により前記通気性フィルター部材内側の付着物が前記通気口からケーシング内に落下し得るように構成されている。
【００１１】
前記通気性フィルター部材は、ろ布とすることがこのましい。
【発明の効果】
【００１２】
本発明によれば、ケーシングの振動によって生じるケーシング内部の圧力変動は、ケーシング内の空気が通気口を通じて出入りすることにより軽減される結果、気柱振動が低減され得る。さらに、通気口をカバーしている通気性フィルター部材に焼却灰等が付着しても、ケーシングの振動により落下するため、通気性フィルター部材の目詰まりを防ぐことができる。
【図面の簡単な説明】
【００１３】
【図１】本発明に係る振動篩装置の一実施形態の概略構成を示す側面図である。
【図２】図１の振動篩装置の使用状態を示す概略構成図である。
【図３】本発明に係る振動搬送装置の一実施形態の概略構成を示す側面図である。
【図４】従来の振動篩装置、灰コンベア、灰ピットを示す概略構成図である。
【発明を実施するための形態】
【００１４】
本発明に係る振動篩装置の一実施形態について図１を参照しつつ説明する。振動篩装置１は、図１に示すように、供給口２及び排出口３、４が形成されたケーシング５と、ケーシング５を振動させる振動発生装置６と、ケーシング５の上部に設けられた通気口７と、通気口７をカバーする通気性フィルター部材８と、を備えている。
【００１５】
図示例においては、ケーシング５は、搬送方向に延びる長尺箱状で、ケーシング５の一端側に上向きの供給口２が開口し、ケーシング５の他端側と中間部に、下向きの排出口４、３が其々開口している。
【００１６】
ケーシング５の内部には、櫛歯やスクリーン等で形成される篩面９が配設されている。ケーシング５は、ケーシング５の下方に沿って延設されるカウンターウェイト１０と、複数の可動レバー１１によって相対移動可能に連結されている。また、ケーシング５とカウンターウェイト１０とは振動バネ１２によっても連結されている。カウンターウェイト１０には、振動発生装置６が取り付けられている。
【００１７】
振動発生装置６は、振動モータ６ａと、振動モータ６ａとプーリベルトによって駆動連結されたプーリ６ｂと、プーリ６ｂによって回転するクランク軸６ｃとケーシング５とを連結する連結部材６ｄとを、備えている。なお、振動発生装置６及びケーシング５に振動を発生させる機構は、上記特許文献５（特開２００８−１４２６２８号公報）に開示の振動発生装置等、公知の振動発生装置等を採用することができる。
【００１８】
複数の可動レバー１１は、それぞれの中間部が支持フレーム１３と回動可能に連結されており、支持フレーム１３は防振バネ１４を介して支柱１５に連結されている。
【００１９】
ケーシング５の上部に設けられた通気口７は、図示例では、ケーシング５から上方へ延びる管状部７ａを備え、管状部７ａの上端に形成されたフランジ部７ｂと、環状押圧板１６との間に、通気性フィルター部材８が挟持されている。通気性フィルター部材８は、空気は通すが灰や煤塵等を通さない部材であり、好ましくは、バグフィルター等のろ布で形成され得る。
【００２０】
振動篩装置１は、図２に示すように、供給口２にフレキシブルジョイント２０が接続され、焼却炉（不図示）で排出されて上流側から送られてくる焼却灰等の焼却残渣が外部に漏れないようにしてケーシング５内に投入される。また、排出口３、４にもそれぞれフレキシブルジョイント２１、２２が接続され、ケーシング５内で篩分けされた灰等は排出口３から排出されて振動コンベア等（不図示）で図外の溶融炉に搬送され、溶融不適物は排出口４からベルトコンベア２３を介して、灰ピット２４に搬送され、灰ピット２４内に排出される。ベルトコンベア２３は、灰ピット２４まで搬送するまでの間に外部に灰が出ないように搬送路の周囲が閉じられたケーシング構造を有している。
【００２１】
上記構成の振動篩装置１は、振動発生装置６が作動すると、図１の矢印Ｘ方向にケーシング５を前後動させ、供給口２から投入された焼却灰等の焼却残渣を篩面９で篩にかけながら、排出口３、４の方へ搬送する。ケーシング５の振動によりケーシング５内に生じる圧力変動は、ケーシング５内部の気体が通気口７を通じて出入りすることにより軽減されるため、ケーシング５内の気柱振動が軽減され得る。その結果、灰ピット２４の建屋に設けられている窓ガラス２５やシャッター等が振動（気柱振動）によって騒音を発生させたり破損したりすることを低減又は防ぐことができる。
【００２２】
ケーシング５の振動によってケーシング５の内部では灰や煤塵が濛々とまき上がるため通気口７の通気性フィルター部材８を目詰まりさせることが危惧されるが、通気口７がケーシング５の上部に設けられていることから、通気口７をカバーしている通気性フィルター部材８にケーシング５内の灰等が付着しても、付着した灰がケーシング５の振動により落下するため、通気性フィルター部材８の目詰まりを防ぐことができる。
【００２３】
上記実施形態では、排出口は２か所（３，４）であったが、篩面９の篩目サイズを段階的に小さくすることにより篩分けする粒度に応じて３箇所以上に排出口を設けることもできる。また、ケーシングは、方形断面とすることができるが、その他の断面形状、例えば円弧状断面等とすることもできる。通気口７は、図示例ではケーシング５の真上に設けられているが、ケーシング５の側面に設けることもできるし、ケーシングの断面形状が円弧状、円形、楕円形等の場合は真上に限らず、真上から側方にずらした位置に設けることもでき、ケーシング５の振動により通気性フィルター部材８の内側に付着した灰等の付着物が通気口７からケーシング５内に落下し得るように構成されていればよい。
【００２４】
上記実施形態において振動篩装置について説明したが、上記実施形態の振動篩装置の篩面９や中間部の排出口３を省略した構成とすることにより、振動搬送装置として構成され得る。
【００２５】
図３は、本発明に係る振動搬送装置の概略構成を示している。振動搬送装置については、図１で示した振動篩装置と同様の構成部分に同符号を付して、重複説明を省略する。なお、図示例において振動搬送装置３０は、供給口２及び排出口４がケーシングの両端面にあり、前後に別の振動搬送装置３０Ａ，３０Ｂと連結されている。
【００２６】
図２では振動篩装置１の下流側にベルトコンベア２３を接続した例を示したが、振動篩装置の下流側に振動搬送装置をフレキシブルジョイントを介して連結することもでき、その場合、振動篩装置１と振動搬送装置３０の双方に気柱振動を軽減するための通気口７及び通気性フィルター８を設けることもできるし、振動搬送装置３０のみに通気口７及び通気性フィルター８を設けても良い。
【符号の説明】
【００２７】
１  振動篩装置
２  供給口
３、４  排出口
５  ケーシング
６  振動発生装置
７  通気口
８  通気性フィルター部材
３０  振動搬送装置
【図１】
2015066500.tif 000003
【図２】
2015066500.tif 000004
【図３】
2015066500.tif 000005
【図４】
2015066500.tif 000006